(57)【特許請求の範囲】
【請求項１】
積層構造を有する積層ローパスフィルタであって、
積層方向に平行なコイル部軸を有し、かつ、積層方向と直交する方向に並ぶ一対のコイル部と、
前記一対のコイル部よりも下側に配置され、各コイル部の下端同士を接続する導体層を有する接続導体部と、
前記接続導体部の導体層の下側において、該導体層と対面するように配置された第１のグランド電極と、
前記第１のグランド電極の下側に配置された第２のグランド電極と、
前記一対のコイル部の積層方向下方にそれぞれ位置し、前記接続導体部と前記第２のグランド電極とが対向する部分にそれぞれ介在する一対の電極層と
を備え、
前記接続導体部の導体層は、前記一対のコイル部それぞれの下端に接続される一対の接続パターン部と、該一対の接続パターン部の間に位置するベタパターン部とを有し、
前記接続導体部の導体層のベタパターン部は、積層方向から見て、前記一対のコイル部の間において前記一対のコイル部それぞれと隣接し、かつ、隣接する方向における前記ベタパターン部の長さが前記一対のコイル部の離間距離と同等以下であり、
前記接続導体部の導体層のベタパターン部は、積層方向から見て、前記一対の電極層とは重ならず、前記一対の電極層との間に間隙が形成されており、
前記第２のグランド電極は、前記接続導体部の導体層と対面するベタパターン部と、該ベタパターン部から前記一対の電極層の積層方向下方の位置まで延びる延長パターン部とを有し、
前記第２のグランド電極の延長パターン部は、積層方向から見て、前記接続導体部の導体層のベタパターン部と前記一対の電極層との間に形成された間隙から少なくとも一部が露出しており、露出した部分の前記第２のグランド電極の延長パターン部と前記一対のコイル部とが重なっている、積層ローパスフィルタ。
【請求項２】
前記接続導体部の導体層のベタパターン部の隣接する方向における長さが、前記一対のコイル部の離間距離以下であり、該ベタパターン部は、積層方向から見て、前記一対のコイル部と重ならない、請求項１に記載の積層ローパスフィルタ。
【発明の詳細な説明】
【技術分野】
【０００１】
本発明は、積層ローパスフィルタに関する。
【背景技術】
【０００２】
近年、携帯電話やノート型パーソナルコンピュータに代表される携帯用の電子機器では、小型化、薄型化の要求が強いことから、それに用いられる電子部品の小型化、薄型化が要求されている。上記電子機器における電子部品の一つに、ローパスフィルタがある。このローパスフィルタにおいても、小型化、薄型化が要求されている。そこで、たとえば下記特許文献１に示されるように、積層基板を用いてローパスフィルタを構成することが提案されている。このように積層基板を用いて構成されたローパスフィルタを、本出願において積層ローパスフィルタと呼ぶ。
【０００３】
特許文献１の積層ローパスフィルタのように、ローパスフィルタの次数が５次以上である場合には、急峻な減衰特性が得られる。５次のローパスフィルタは、たとえば、直列に接続された第１のコイル部および第２のコイル部と、この２つのコイル部の接続点とグランドとの間に設けられたキャパシタと、第１のコイル部における上記接続点とは反対側の端部とグランドとの間に設けられたキャパシタと、第２のコイル部における上記接続点とは反対側の端部とグランドとの間に設けられたキャパシタとを含んでいる。
【先行技術文献】
【特許文献】
【０００４】
【特許文献１】特開２００８−１８７４１８号公報
【発明の概要】
【発明が解決しようとする課題】
【０００５】
ただし、引用文献１の積層ローパスフィルタのように、上記両コイル部の接続点とグランドとの間に形成されるキャパシタの一部を構成するキャパシタ電極が、積層方向において両コイル部の最下層パターンと広い範囲に亘って重なる場合には、Ｑ特性が悪化する。
【０００６】
そこで、本発明は、上述の問題を解決するためになされたものであり、Ｑ特性の向上が図られた積層ローパスフィルタを提供することを目的とする。
【課題を解決するための手段】
【０００７】
本発明の一側面に係る積層ローパスフィルタは、積層構造を有する積層ローパスフィルタであって、積層方向に平行なコイル部軸を有し、かつ、積層方向と直交する方向に並ぶ一対のコイル部と、一対のコイル部よりも下側に配置され、各コイル部の下端同士を接続する導体層を有する接続導体部と、接続導体部の導体層の下側において、該導体層と対面するように配置された第１のグランド電極と、第１のグランド電極の下側に配置された第２のグランド電極と、一対のコイル部の積層方向下方にそれぞれ位置し、接続導体部と第２のグランド電極とが対向する部分にそれぞれ介在する一対の電極層とを備え、接続導体部の導体層は、一対のコイル部それぞれの下端に接続される一対の接続パターン部と、該一対の接続パターン部の間に位置するベタパターン部とを有し、接続導体部の導体層のベタパターン部は、積層方向から見て、一対のコイル部の間において一対のコイル部それぞれと隣接し、かつ、隣接する方向におけるベタパターン部の長さが一対のコイル部の離間距離と同等以下であり、接続導体部の導体層のベタパターン部は、積層方向から見て、一対の電極層とは重ならず、一対の電極層との間に間隙が形成されており、第２のグランド電極は、接続導体部の導体層と対面するベタパターン部と、該ベタパターン部から一対の電極層の積層方向下方の位置まで延びる延長パターン部とを有し、第２のグランド電極の延長パターン部は、積層方向から見て、接続導体部の導体層のベタパターン部と一対の電極層との間に形成された間隙から少なくとも一部が露出しており、露出した部分の第２のグランド電極の延長パターン部と一対のコイル部とが重なっている。
【０００８】
上記積層ローパスフィルタにおいては、接続導体部の導体層のベタパターン部は、積層方向から見て、一対のコイル部の間において一対のコイル部それぞれと隣接し、かつ、隣接する方向におけるベタパターン部の長さが一対のコイル部の離間距離と同等以下となっており、積層方向から見て、両コイル部と接続導体部の導体層のベタパターン部とが重ならない、または、両コイル部の最下層パターンと接続導体部の導体層のベタパターン部とが重なる領域が極めて狭い。そのため、上記積層ローパスフィルタでは、Ｑ特性の向上が図られている。
【０００９】
なお、接続導体部の導体層のベタパターン部の隣接する方向における長さが、一対のコイル部の離間距離以下であり、該ベタパターン部は、積層方向から見て、一対のコイル部と重ならない態様であってもよい。
【発明の効果】
【００１０】
本発明の種々の側面は、Ｑ特性の向上が図られた積層ローパスフィルタを提供することを目的とする。
【図面の簡単な説明】
【００１１】
【図１】図１は、実施形態に係る積層ローパスフィルタの回路構成を示した回路図である。
【図２】図２は、図１に示した積層ローパスフィルタの概略斜視図である。
【図３】図３は、図２に示した積層ローパスフィルタの外観を示す斜視図である。
【図４】図４は、図２に示した積層基板の内部を示した図である。
【図５】図５は、図２に示した積層基板の１層目〜３層目の誘電体層の上面を示した図である。
【図６】図６は、図２に示した積層基板の４層目〜６層目の誘電体層の上面を示した図である。
【図７】図７は、図２に示した積層基板の７層目〜１０層目の誘電体層の上面を示した図である。
【図８】図８は、図２に示した積層基板の１１層目〜１４層目の誘電体層の上面を示した図である。
【図９】図９は、一対のコイル部、接続導体部のベタパターン部、および、第１のグランド電極との位置関係を示した図である。
【図１０】図１０は、一対のコイル部、一対の電極層、および、第２のグランド電極との位置関係を示した図である。
【図１１】図１１は、積層ローパスフィルタの回路における浮遊容量を示した回路図である。
【発明を実施するための形態】
【００１２】
以下、添付図面を参照して、実施形態に係る積層ローパスフィルタについて詳細に説明する。なお、説明において、同一要素又は同一機能を有する要素には、同一符号を用いることとし、重複する説明は省略する。
【００１３】
実施形態に係る積層ローパスフィルタの構造を説明する前に、その回路構成について図１を参照しつつ説明する。図１に示すように、実施形態に係る積層ローパスフィルタ１は、信号が入力される入力端子２と、信号を出力する出力端子３と、一対のコイル部１１、１２と、５つのキャパシタ１３〜１７とを備えている。
【００１４】
一対のコイル部１１、１２は、直列に接続されて、回路構成上、入力端子２と出力端子３との間に設けられている。回路構成上、一対のコイル部１１、１２のうち、コイル部１１（第１のコイル部）が入力端子２に近い位置に配置され、コイル部１２（第２のコイル部）が入力端子２に近い位置に配置されている。一対のコイル部１１、１２はそれぞれ、信号が入力される入力端と信号を出力する出力端とを有している。コイル部１１の入力端は入力端子２に接続されている。コイル部１１の出力端はコイル部１２の入力端に接続されている。コイル部１２の出力端は出力端子３に接続されている。なお、本出願において、「回路構成上」という表現は、物理的な構成における配置ではなく、回路図上での配置を指すために用いている。
【００１５】
回路構成上、キャパシタ１３は、コイル部１１とコイル部１２の接続点とグランドとの間に設けられている。すなわち、キャパシタ１３の一端はコイル部１１とコイル部１２の接続点に接続され、キャパシタ１３の他端はグランドに接続されている。
【００１６】
キャパシタ１４は、コイル部１１の入力端とグランドとの間に設けられている。すなわち、キャパシタ１４の一端はコイル部１１の入力端に接続され、キャパシタ１４の他端はグランドに接続されている。キャパシタ１５は、コイル部１２の出力端とグランドとの間に設けられている。すなわち、キャパシタ１５の一端はコイル部１２の出力端に接続され、キャパシタ１５の他端はグランドに接続されている。
【００１７】
キャパシタ１６は、コイル部１１に対して並列に接続されている。すなわち、キャパシタ１６の一端はコイル部１１の入力端に接続され、キャパシタ１６の他端はコイル部１１の出力端に接続されている。キャパシタ１７は、コイル部１２に対して並列に接続されている。すなわち、キャパシタ１７の一端はコイル部１２の入力端に接続され、キャパシタ１７の他端はコイル部１２の出力端に接続されている。
【００１８】
積層ローパスフィルタ１では、入力端子２に信号が入力されると、そのうちの所定の遮断周波数以下の周波数の信号が選択的に積層ローパスフィルタ１を通過し、出力端子３から出力される。
【００１９】
次に、図２および図３を参照して、積層ローパスフィルタ１の構造について説明する。
【００２０】
積層ローパスフィルタ１は、積層構造を有しており、積層ローパスフィルタ１の構成要素を一体化するための積層基板２０を備えている。積層基板２０は、積層された複数の誘電体層と複数の導体層とを含んでいる。上述したコイル部１１、１２はいずれも、積層基板２０内の少なくとも１つの導体層を用いて構成されている。上述したキャパシタ１３〜１７はいずれも、積層基板２０内の少なくとも２つ導体層とそれらの間に配置された誘電体層とを用いて構成されて、積層基板２０内に形成されている。
【００２１】
図３に示したように、積層基板２０は、上面２０ａと、底面２０ｂと、４つの側面２０ｃ〜２０ｆを有する直方体形状をなしている。積層基板２０における１つの側面２０ｃには入力端子２２が配置され、この側面とは反対側の側面２０ｄには出力端子２３が配置されている。積層基板２０における残りの２つの側面２０ｅ、２０ｆには、グランド用端子２４、２５が配置されている。入力端子２２は図１における入力端子２に対応し、出力端子２３は図１における出力端子３に対応する。グランド用端子２４、２５はグランドに接続される。積層基板２０において、端子２４が配置される側面と上面との間の稜線の長さはたとえば０．８〜２．７ｍｍの範囲内であり、端子２２が配置される側面と上面との間の稜線の長さはたとえば０．４〜２．２ｍｍの範囲内であり、端子２２が配置される側面と端子２４が配置される側面との間の稜線の長さはたとえば０．２〜１．２ｍｍの範囲内である。
【００２２】
次に、図５〜８を参照して、積層基板２０を構成する誘電体層と導体層について詳しく説明する。図５において（ａ）〜（ｃ）はそれぞれ、上から１層目〜３層目の誘電体層の上面を示している。図６において（ａ）〜（ｃ）はそれぞれ、上から４層目〜６層目の誘電体層の上面を示している。図７において（ａ）〜（ｄ）はそれぞれ、上から７層目〜１０層目の誘電体層の上面を示している。図８において（ａ）〜（ｄ）はそれぞれ、上から１１層目〜１４層目の誘電体層の上面を示している。
【００２３】
図５（ａ）に示した１層目の誘電体層３１の上面には導体層は形成されていない。図５（ｂ）に示した２層目の誘電体層３２の上面には、図１におけるコイル部１１の一部を構成するコイル導体層３２１と、図１におけるコイル部１２の一部を構成するコイル導体層３２２とが形成されている。コイル導体層３２１の一端部は入力端子２２に接続される。このコイル導体層３２１の一端部は、コイル部１１の入力端となる。コイル導体層３２１は、上方から見たときに、一端部から他端部に向けて反時計回り方向に回転するように延びている。コイル導体層３２２の一端部は出力端子２３に接続される。このコイル導体層３２２の一端部は、コイル部１２の出力端となる。コイル導体層３２２は、上方から見たときに、一端部から他端部に向けて時計回り方向に回転するように延びている。
【００２４】
図５（ｃ）に示した３層目の誘電体層３３の上面には、コイル部１１の他の一部を構成するコイル導体層３３１と、コイル部１２の他の一部を構成するコイル導体層３３２とが形成されている。コイル導体層３３１は、その一端部がコイル導体層３２１の他端部とスルーホールを介して接続され、上方から見たときに、該一端部から他端部に向けて反時計回り方向に回転するように延びている。コイル導体層３３２は、その一端部がコイル導体層３２２の他端部とスルーホールを介して接続され、上方から見たときに、一端部から他端部に向けて時計回り方向に回転するように延びている。
【００２５】
そして、図６（ａ）〜（ｃ）および図７（ａ）〜（ｃ）に示すように、４層目〜９層目は、コイル部１１の他の一部を構成するコイル導体層（３４１、３５１、３６１、３７１、３８１、３９１）とコイル部１２の他の一部を構成するコイル導体層（３４２、３５２、３６２、３７２、３８２、３９２）とがそれぞれ形成された誘電体層３４、３５、３６、３７、３８、３９が積層されている。上下に重なるコイル導体層は、スルーホールを介して接続される。
【００２６】
なお、コイル部１１を構成するコイル導体層３４１、３５１、３６１、３７１、３８１、３９１はいずれも、上方から見たときに、一端部から他端部に向かう向きが反時計回りとなるように巻回されている。また、コイル部１２を構成するコイル導体層３４２、３５２、３６２、３７２、３８２、３９２はいずれも、上方から見たときに、一端部から他端部に向かう向きが時計回りとなるように巻回されている。
【００２７】
図７（ｃ）に示した９層目の誘電体層３９に形成されたコイル導体層３９１が、コイル部１１の最下層の導電体であり、その他端部がコイル部１１の下端、すなわち、コイル部１１の出力端となる。同様に、誘電体層３９に形成されたコイル導体層３９２が、コイル部１２の最下層の導電体であり、その他端部がコイル部１２の下端、すなわち、コイル部１２の入力端となる。
【００２８】
図７（ｄ）に示した１０層目の誘電体層４０の上面には、両コイル部１１、１２の下端同士を接続する接続導体層４０１が形成されている。接続導体層４０１は、コイル導体層３９１、３９２の他端部にそれぞれ対応する位置に形成された一対の接続パターン部４０１ａ、４０１ｂを有する。一対の接続パターン部４０１ａ、４０１ｂのうち、一方の接続パターン部４０１ａは、コイル導体層３９１の他端部（すなわち、コイル部１１の下端（出力端））にスルーホールを介して接続され、他方の接続パターン部４０１ｂは、コイル導体層３９２の他端部（すなわち、コイル部１２の下端（入力端））にスルーホールを介して接続される。接続導体層４０１は、さらに、両接続パターン部４０１ａ、４０１ｂの間に形成された矩形状のベタパターン部４０１ｃを有している。ベタパターン部４０１ｃは、誘電体層４０の中央付近に位置し、各接続パターン部４０１ａ、４０１ｂの面積よりも大きな面積を有する。
【００２９】
図８（ａ）に示した１１層目の誘電体層４１には、誘電体層４０の接続パターン部４０１ａ、４０１ｂにスルーホールを介してそれぞれ連結される導体層４１１、４１２が形成されている。また、誘電体層４１の上面には、グランド導体層（以下、「第１のグランド電極」とも称す。）４１３が形成されている。グランド導体層４１３は、短辺方向に延びる長尺形状を有しており、誘電体層４１の中央付近に形成された矩形状の容量形成部４１３ａと、容量形成部４１３ａから側面２０ｅ、２０ｆまで延びてグランド用端子２４、２５に接続される一対の引き出し部４１３ｂ、４１３ｃとを有している。
【００３０】
図８（ｂ）に示した１２層目の誘電体層４２の上面には、誘電体層４１の導体層４１１、４１２にそれぞれ対応する位置に、矩形状のキャパシタ導体層４２１、４２２が形成されている。上述した接続導体層４０１、導体層４１１、４１２、キャパシタ導体層４２１、４２２およびこれらを接続するスルーホールにより、後述する接続導体部３０が構成される。
【００３１】
図８（ｃ）に示した１３層目の誘電体層４３の上面には、一対の電極層４３１、４３２が形成されている。一方の電極層４３１は、積層基板２０の側面２０ｃ側に形成されており、矩形状の容量形成部４３１ａと、容量形成部４３１ａから側面２０ｃまで延びて入力端子２２に接続される引き出し部４３１ｂとを有している。容量形成部４３１ａは、誘電体層４２のキャパシタ導体層４２１よりも大きな面積を有し、キャパシタ導体層４２１と対面している。他方の電極層４３２は、積層基板２０の側面２０ｄ側に形成されており、矩形状の容量形成部４３２ａと、容量形成部４３２ａから側面２０ｄまで延びて出力端子２３に接続される引き出し部４３２ｂとを有している。容量形成部４３２ａは、誘電体層４２のキャパシタ導体層４２２よりも大きな面積を有し、キャパシタ導体層４２２と対面している。
【００３２】
図８（ｄ）に示した１４層目の誘電体層４４の上面には、グランド導体層（以下、「第２のグランド電極」とも称す。）４４１が形成されている。グランド導体層４４１は、誘電体層５４の中央付近に形成された矩形状の基部４４１ａと、基部４４１ａから側面２０ｅ、２０ｆまで延びてグランド用端子２４、２５に接続される一対の引き出し部４４１ｂ、４４１ｃと、基部４４１ａから側面２０ｃ、２０ｄの側に延びる一対の延長パターン部４４１ｄ、４４１ｅとを有している。一対の延長パターン部４４１ｄ、４４１ｅはそれぞれ、誘電体層４３に形成された電極層４３１、４３２と対面する位置に設けられた矩形状の容量形成部４４１ｆ、４４１ｈと、基部４４１ａと容量形成部４４１ｆ、４４１ｈとの間において両者を接続する接続部４４１ｇ、４４１ｉとを有している。
【００３３】
上述した１層目〜１４層目の誘電体層、導体層および電極層が積層されて、積層基板２０が形成される。本実施形態において、積層基板２０としては、誘電体層の材料として樹脂、セラミック、あるいは両者を複合した材料を用いたもの等、種々のものを用いることができる。しかし、積層基板２０としては、特に、高周波特性に優れた低温同時焼成セラミック多層基板を用いることが好ましい。
【００３４】
以下、図４を参照しつつ、積層基板２０の内部の構成をさらに説明する。図４は、端子２４が配置される側面から見た積層基板２０の内部を示した図である。上述したとおり、コイル部１１は、コイル導体層３２１、３３１、３４１、３５１、３６１、３７１、３８１、３９１および上下に並ぶコイル導体層同士を接続するスルーホールによって構成されている。また、コイル部１２は、コイル導体層３２２、３３２、３４２、３５２、３６２、３７２、３８２、３９２および上下に並ぶコイル導体層同士を接続するスルーホールによって構成されている。さらに、コイル部１１、１２の下方に位置する接続導体層４０１、導体層４１１、４１２、キャパシタ導体層４２１、４２２およびこれらを接続するスルーホールにより、接続導体部３０が構成されている。
【００３５】
図４に示すように、接続導体部３０の接続導体層４０１は、誘電体層４０を介して第１のグランド電極４１３に対向している。接続導体層４０１、第１のグランド電極４１３、および、これらの間に配置された誘電体層４０によって、図１におけるキャパシタ１３が構成されている。キャパシタ１３では、図９に示すように、主に、接続導体層４０１のベタパターン部４０１ｃと第１のグランド電極４１３の容量形成部４１３ａとの間において容量が形成される。
【００３６】
接続導体層４０１のベタパターン部４０１ｃは、図９に示すように、積層方向から見て、一対のコイル部１１、１２の間において一対のコイル部１１、１２それぞれと隣接している。また、接続導体層４０１のベタパターン部４０１ｃは、隣接する方向における長さが、一対のコイル部１１、１２の離間距離と同等以下となるように設計されている。より詳しくは、ベタパターン部４０１ｃの長さは、一対のコイル部１１、１２の離間距離と同じ長さに設計されている。そのため、ベタパターン部４０１ｃと各コイル部１１、１２とは、積層方向から見て、互いに重なることなく、かつ、隙間なく並んでいる。
【００３７】
また、図４に示すように、一対の電極層４３１、４３２は、接続導体部３０のキャパシタ導体層４２１、４２２と第２のグランド電極４４１とが対向する部分にそれぞれ介在している。すなわち、接続導体部３０のキャパシタ導体層４２１は、誘電体層４２を介して電極層４３１に対向している。キャパシタ導体層４２１、電極層４３１、および、これらの間に配置された誘電体層４２によって、図１におけるキャパシタ１６が構成されている。同様にして、接続導体部３０のキャパシタ導体層４２２も、誘電体層４２を介して電極層４３２に対向している。キャパシタ導体層４２２、電極層４３２、および、これらの間に配置された誘電体層４２によって、図１におけるキャパシタ１７が構成されている。
【００３８】
さらに、図４に示すように、一対の電極層４３１、４３２は、誘電体層４３を介して第２のグランド電極４４１に対向している。電極層４３１、第２のグランド電極４４１、および、これらの間に配置された誘電体層４３によって図１におけるキャパシタ１４が構成されている。キャパシタ１４では、図１０に示すように、主に、電極層４３１の容量形成部４３１ａと、電極層４３１の積層方向下方の位置まで延びる第２のグランド電極４４１の延長パターン部４４１ｄの容量形成部４４１ｆとの間において容量が形成される。同様にして、電極層４３２、第２のグランド電極４４１、および、これらの間に配置された誘電体層４３によって、図１におけるキャパシタ１５が構成されている。キャパシタ１５では、図１０に示すように、主に、電極層４３２の容量形成部４３２ａと、電極層４３２の積層方向下方の位置まで延びる第２のグランド電極４４１の延長パターン部４４１ｅの容量形成部４４１ｈとの間において容量が形成される。
【００３９】
積層基板２０においては、さらに、コイル部１１、１２と第２のグランド電極４４１との間において浮遊容量が形成される。以下、この浮遊容量について説明する。
【００４０】
積層基板２０では、上述したとおり、接続導体層４０１のベタパターン部４０１ｃの長さは、一対のコイル部１１、１２の離間距離と同じ長さに設計されているため、ベタパターン部４０１ｃと各コイル部１１、１２とは、積層方向から見て、互いに重なっていない。そのため、ベタパターン部４０１ｃは、積層方向における、コイル部１１、１２と第２のグランド電極４４１との対面を妨げない。
【００４１】
また、積層基板２０では、図４に示すように、側面２０ｃ、２０ｄから積層基板内側に向かって延びる一対の電極層４３１、４３２は、接続導体層４０１のベタパターン部４０１ｃの下方の位置までは達しておらず、接続導体層４０１のベタパターン部４０１ｃとは積層方向から見て重なっていない。そのため、一対の電極層４３１、４３２も、ベタパターン部４０１ｃ同様、積層方向における、コイル部１１、１２と第２のグランド電極４４１との対面を妨げない。
【００４２】
そのため、一対の電極層４３１、４３２とベタパターン部４０１ｃとの間に形成された間隙Ｇ１、Ｇ２を介して、コイル部１１、１２と第２のグランド電極４４１とが対面している。換言すると、コイル部１１、１２は、間隙Ｇ１、Ｇ２から露出する部分の第２のグランド電極４４１と積層方向に関して重なっている。より詳しくは、コイル部１１、１２の最下層のコイル導体層３９１、３９２と、第２のグランド電極４４１の延長パターン部４４１ｄ、４４１ｅの接続部４４１ｇ、４４１ｉとが対面している（図１０参照）。そのため、コイル部１１、１２のコイル導体層３９１、３９２、第２のグランド電極４４１の延長パターン部４４１ｄ、４４１ｅの接続部４４１ｇ、４４１ｉ、および、これらの間にある誘電体層によって浮遊容量が形成される。このような浮遊容量は、図１１における符号１８、１９で示される。浮遊容量１８は、コイル部１１の出力端と第２のグランド電極４４１との間に形成され、浮遊容量１９は、コイル部１２の入力端と第２のグランド電極４４１との間に形成される。
【００４３】
なお、接続導体層４０１のベタパターン部４０１ｃと電極層４３１、４３２との間の間隙Ｇ１、Ｇ２は、接続導体層４０１のベタパターン部４０１ｃ、電極層４３１、４３２の位置や寸法形状を調整することにより適宜調整することができる。
【００４４】
以上において説明したとおり、積層ローパスフィルタ１は、積層方向に平行なコイル部軸を有し、かつ、積層方向と直交する方向に並ぶ一対のコイル部１１、１２と、一対のコイル部１１、１２よりも下側に配置され、各コイル部１１、１２の下端同士を接続する接続導体層４０１を有する接続導体部３０と、接続導体部３０の接続導体層４０１の下側において、接続導体層４０１と対面するように配置された第１のグランド電極４１３と、第１のグランド電極４１３の下側に配置された第２のグランド電極４４１と、一対のコイル部１１、１２の積層方向下方にそれぞれ位置し、接続導体部３０のキャパシタ導体層４２１、４２２と第２のグランド電極４４１とが対向する部分にそれぞれ介在する一対の電極層４３１、４３２とを備えている。
【００４５】
また、積層ローパスフィルタ１においては、接続導体部３０の接続導体層４０１は、一対のコイル部１１、１２それぞれの下端に接続される一対の接続パターン部４０１ａ、４０１ｂと、一対の接続パターン部４０１ａ、４０１ｂの間に位置するベタパターン部４０１ｃとを有している。そして、ベタパターン部４０１ｃは、積層方向から見て、一対のコイル部１１、１２の間において一対のコイル部１１、１２それぞれと隣接し、かつ、隣接する方向におけるベタパターン部４０１ｃの長さが一対のコイル部１１、１２の離間距離と同じ長さである。また、ベタパターン部４０１ｃは、積層方向から見て、一対の電極層４３１、４３２とは重ならず、一対の電極層４３１、４３２との間に間隙Ｇ１、Ｇ２が形成されている。
【００４６】
さらに、第２のグランド電極４４１は、接続導体部３０の接続導体層４０１と対面する基部（ベタパターン部）４４１ａと、基部４４１ａから一対の電極層４３１、４３２の積層方向下方の位置まで延びる延長パターン部４４１ｄ、４４１ｅとを有する。そして、第２のグランド電極４４１の延長パターン部４４１ｄ、４４１ｅの接続部４４１ｇ、４４１ｉは、積層方向から見て、間隙Ｇ１、Ｇ２から露出しており、第２のグランド電極４４１の延長パターン部４４１ｄ、４４１ｅの接続部４４１ｇ、４４１ｉと一対のコイル部１１、１２の最下層のコイル導体層３９１、３９２とが重なっている。
【００４７】
上述した積層ローパスフィルタ１においては、接続導体部３０の接続導体層４０１のベタパターン部４０１ｃは、積層方向から見て、一対のコイル部１１、１２の間において一対のコイル部１１、１２それぞれと隣接し、かつ、隣接する方向におけるベタパターン部４０１ｃの長さが一対のコイル部の離間距離と同じ長さであるため、積層方向から見て、両コイル部１１、１２と接続導体部３０の接続導体層４０１のベタパターン部４０１ｃとは重ならない。そのため、上記積層ローパスフィルタ１では、Ｑ特性の向上が図られている。
【００４８】
なお、接続導体層４０１のベタパターン部４０１ｃの長さは、必ずしも、一対のコイル部１１、１２の離間距離と全く同じ長さである必要はなく、一対のコイル部１１、１２の離間距離と同等以下であればよい。製造誤差等の理由により、ベタパターン部４０１ｃの長さを、一対のコイル部１１、１２の離間距離と全く同じ長さにすることは技術的に困難であり、「離間距離と同等」として離間距離±５％程度の誤差は許容される。この場合でも、両コイル部１１、１２とベタパターン部４０１ｃとが重なる領域が極めて狭いため、Ｑ特性の向上を図ることができる。
【００４９】
その上、積層ローパスフィルタ１においては、一対のコイル部１１、１２が、間隙Ｇ１、Ｇ２から露出した第２のグランド電極４４１の延長パターン部４４１ｄ、４４１ｅの接続部４４１ｇ、４４１ｉと重なっているため、互いに重なった部分において浮遊容量１８、１９が形成されている。すなわち、積層ローパスフィルタ１では、意図して、浮遊容量１８、１９が生じる構成を採用している。
【００５０】
浮遊容量の有無は、フィルタ特性に影響し、設計上想定されていない浮遊容量を生じた場合には、積層ローパスフィルタの浮遊容量が設計上の値から大きく外れた値となり、フィルタ特性が著しく変わってしまう。積層ローパスフィルタ１では、浮遊容量１８、１９が存在することを前提として、回路を設計することができ、フィルタ特性を決定することができる。つまり、積層ローパスフィルタ１では、設計上想定されていない浮遊容量が生じる事態が効果的に回避されており、浮遊容量のバラツキ低減も図られている。
【００５１】
なお、反対に、浮遊容量１８、１９の発生を防止することで、浮遊容量のバラツキを低減するという対策も考え得る。たとえば、一対の電極層４３１、４３２を接続導体層４０１のベタパターン部４０１ｃの下方の位置までは延ばして、一対の電極層４３１、４３２が、積層方向における、コイル部１１、１２と第２のグランド電極４４１との対面を妨げる構成が考えられる。しかしながら、一対の電極層４３１、４３２を接続導体層４０１のベタパターン部４０１ｃの下方の位置まで延長した場合には、一対の電極層４３１、４３２と接続導体層４０１との間に追加的な浮遊容量が生じると考えられ、キャパシタ１６、１７の容量増大につながるため実用的ではない。その上、一対の電極層４３１、４３２を接続導体層４０１のベタパターン部４０１ｃの下方の位置まで延長した場合には、一対の電極層４３１、４３２とコイル部１１、１２との重畳領域が拡大するため、一対の電極層４３１、４３２がコイル部１１、１２の磁束を阻害するようになり、積層ローパスフィルタ１のＱ特性を低下させる虞もある。
【００５２】
上述した接続パターン部４０１ａ、４０１ｂに関しては、接続パターン部４０１ａ、４０１ｂの面積が大きいと、コイル部１１、１２の内径面を広く覆って、磁束を阻害してしまう。そのため、接続パターン部４０１ａ、４０１ｂは、その面積の拡大を抑えられるべきであり、ベタパターン部４０１ｃの面積よりも小さい。換言すると、ベタパターン部４０１ｃの面積は、接続パターン部４０１ａ、４０１ｂの面積より大きい。
【００５３】
なお、本発明は、上記実施形態に限定されず、種々の変更が可能である。たとえば、コイル部の巻数や、コイルを構成するコイル導体層の層数に関しては、適宜増減することができる。上述した積層ローパスフィルタは、たとえば、１セグメント放送用の受信装置において用いられるローパスフィルタとして有用である。
【符号の説明】
【００５４】
１…積層ローパスフィルタ、１１、１２…コイル部、２０…積層基板、３０…接続導体部、４０１…接続導体層、４１３…グランド導体層（第１のグランド電極）、４２１、４２２…キャパシタ導体層、４３１、４３２…電極層、４４１…グランド導体層（第２のグランド電極）、Ｇ１、Ｇ２…間隙。
【図１】
0006551169.tif 000002
【図２】
0006551169.tif 000003
【図３】
0006551169.tif 000004
【図４】
0006551169.tif 000005
【図５】
0006551169.tif 000006
【図６】
0006551169.tif 000007
【図７】
0006551169.tif 000008
【図８】
0006551169.tif 000009
【図９】
0006551169.tif 000010
【図１０】
0006551169.tif 000011
【図１１】
0006551169.tif 000012